(57)【要約】【課題】  冗長化された映像・音声送出機器に収録された映像・音声を収録時に自動再生させ、自動的に映像・音声の評価を行う映像・音声収録・再生方法の実現。【解決手段】  映像・音声送出機器に収録された映像・音声素材を再生、送出するシステムにおいて、収録制御機器により、二重化された映像・音声送出機器に同じ入力映像・音声素材を同期させて蓄積・収録し、所定量の映像・音声データが蓄積されたところで、再生する映像・音声の素材コード、再生長等の情報を映像・音声の差異検出装置に通知すると共に、各映像・音声送出機器を再生制御し、再生された各映像・音声のデジタルデータを映像・音声の差異検出装置に出力し、ここで、各映像・音声送出機器から出力される映像・音声のデジタルデータを比較し、比較した各映像・音声出力に差異が検出されたとき、収録された映像・音声素材に異常ありと判定する映像・音声収録・再生方法。【選択図】  図１
2006157743.tif 000002
【特許請求の範囲】
【請求項１】
入力映像・音声素材を映像・音声送出機器に収録し、収録された映像・音声素材を再生、送出するシステムにおいて、
収録制御機器により、二重化された上記映像・音声送出機器に同じ入力映像・音声素材を同期させてそれぞれ蓄積・収録するステップと、
上記映像・音声送出機器に所定量の映像・音声データが蓄積されたところで、上記収録制御機器により、再生する映像・音声の素材コード、再生長等の情報を映像・音声の差異検出装置に通知すると共に、上記各映像・音声送出機器を再生制御し、上記映像・音声送出機器から再生された各映像・音声のデジタルデータを、上記映像・音声の差異検出装置に出力するステップと、
上記映像・音声の差異検出装置において、上記各映像・音声送出機器からそれぞれ出力される映像・音声のデジタルデータを比較するステップと、
比較した上記各映像・音声送出機器の映像・音声出力に差異が検出されたとき、上記各映像・音声送出機器に収録された映像・音声素材に異常ありと判定するステップを有することを特徴とする映像・音声収録・再生方法。
【請求項２】
請求項１において、上記映像・音声の差異検出装置は、上記収録制御機器からの再生開始通知に基づき、上記各映像・音声送出機器の映像・音声の比較を開始すると共に、時刻カウントを開始し、上記各映像・音声送出機器の映像・音声出力の差異を検出した場合の時刻カウント値に基づき異常箇所を判定することを特徴とする映像・音声収録・再生方法。
【請求項３】
請求項１または２において、上記映像・音声の差異検出装置は、上記各映像・音声送出機器からそれぞれ出力される映像・音声データを一定期間パッファリングし、各画像及び音声データについて、蓄積されたそれぞれのパッファリングデータ内に同一データが存在するか否かを判定することにより、上記各映像・音声送出機器に収録された映像・音声素材の異常を検出することを特徴とする映像・音声収録・再生方法。
【発明の詳細な説明】
【技術分野】
【０００１】
本発明は、ピデオサーバなどの映像・音声送出機器を用いた映像・音声収録・送出システムにおける映像・音声収録・再生方法に関するものである。
【背景技術】
【０００２】
放送局などでは、映像・音声信号を収録・再生するためのピデオサーバ等の映像・音声送出機器を冗長化させ、放送する映像・音声の信頼性・安定性を向上させている。しかし、冗長化させた映像・音声送出機器に収録された映像・音声の内容・質などの評価および確認は、主に現用系で使用されている映像・音声送出機器へ収録した映像・音声を、収録後に再生させ、モニタ上に表示される映像・音声を目視することによって行われていた。
【特許文献１】特開平１１−１８５４５１号公報
【発明の開示】
【発明が解決しようとする課題】
【０００３】
そのため、従来の映像・音声収録・送出システムにおいて、冗長化された映像・音声送出機器に収録された映像・音声をそれぞれ評価・確認するには、多大な時間と労力を要していた。
本発明の目的は、冗長化された映像・音声送出機器に収録された映像・音声を、収録時に自動で再生させ、かつ自動的に映像・音声の評価を行うことを可能とし、業務の労力とコストを削減することにある。
【課題を解決するための手段】
【０００４】
本発明は上記目的を達成するため、入力映像・音声素材を映像・音声送出機器に収録し、収録された映像・音声素材を再生、送出するシステムにおいて、収録制御機器により、二重化された上記映像・音声送出機器に同じ入力映像・音声素材を同期させてそれぞれ蓄積・収録するステップと、上記映像・音声送出機器に所定量の映像・音声データが蓄積されたところで、上記収録制御機器により、再生する映像・音声の素材コード、再生長等の情報を映像・音声の差異検出装置に通知すると共に、上記各映像・音声送出機器を再生制御し、上記映像・音声送出機器から再生された各映像・音声のデジタルデータを、上記映像・音声の差異検出装置に出力するステップと、上記映像・音声の差異検出装置において、上記各映像・音声送出機器からそれぞれ出力される映像・音声のデジタルデータを比較するステップと、比較した上記各映像・音声送出機器の映像・音声出力に差異が検出されたとき、上記各映像・音声送出機器に収録された映像・音声素材に異常ありと判定するステップを有する映像・音声収録・再生方法である。
【０００５】
また、映像・音声の差異検出装置は、上記収録制御機器からの再生開始通知に基づき、上記各映像・音声送出機器の映像・音声の比較を開始すると共に、時刻カウントを開始するもので、上記各映像・音声送出機器の映像・音声出力の差異を検出した場合の時刻カウント値から異常箇所を判定するものである。
また、映像・音声の差異検出装置は、上記各映像・音声送出機器からそれぞれ出力される映像・音声データを一定期間パッファリングし、各画像及び音声データについて、蓄積されたそれぞれのパッファリングデータ内に同データが存在するか否かを判定することにより、上記各映像・音声送出機器に収録された映像・音声素材の異常を検出するものである。
【発明の効果】
【０００６】
映像・音声送出機器に収録された番組素材の冗長化された映像・音声を、素材収録時に自動で再生させ、かつ自動的に映像・音声の評価を行うことで、収録された映像・音声の評価および確認業務の労力とコストを削減することができる。
【発明を実施するための最良の形態】
【０００７】
以下、本発明の一実施例を図１、図２、図３を用いて説明する。図１は、本システムの構成を示すブロック図である。図２は、映像・音声を比較するための、制御方法をフローチャートで示した図である。図３は映像・音声の比較方法を示した模式図である。
最初に、図１を用いて本システムの構成を説明する。図中、１００及び１０１は二重化されたビデオサーバ等の映像・音声送出機器である。１０２は収録制御機器であり、映像・音声送出機器(１００及び１０１)とは制御線で接続されている。
映像・音声送出機器(１００及び１０１)は、収録制御機器１０２からの制御により入力映像・音声を収録し、デジタルデータとして蓄積することができる。蓄積した映像・音声データは、任意のコード(以下、素材コードと称す)をつけて管理する。
また、映像・音声送出機器(１００及び１０１)は、収録制御機器１０２からの制御により、映像・音声送出機器(１００及び１０１)に蓄積された映像・音声のデジタルデータを再生することができる。
【０００８】
１０４は映像・音声の差異検出装置であり、映像・音声送出機器１００及び１０１からそれぞれ出力された映像・音声の差異を検出することができる。  映像・音声の差異検出装置１０４は、収録制御機器１０２と制御線で接続されており、収録制御機器１０２の制御により、映像・音声送出機器(１００及び１０１)から再生される映像・音声の素材情報(素材のコード、再生長など)が、映像・音声の差異検出装置１０４に通知される。また、収録制御機器１０２の制御による映像・音声送出機器(１００及び１０１)の再生開始のタイミングが、映像・音声の差異検出装置１０４に通知される。
１０５は同期信号発生器であり、映像・音声送出機器(１００及び１０１)、および映像・音声の差異検出装置１０４はフレーム同期している。  このため、映像・音声送出機器１００及び１０１に入力されるそれぞれの映像・音声は同期している。また、映像・音声送出機器１００及び１０１から出力されるそれぞれの映像・音声も同期している。
【０００９】
次に、図２を用いて、映像・音声送出機器(１００及び１０１)から出力される映像・音声の差異検出の制御動作について説明する。  最初に、収録制御機器１０２から、映像・音声送出機器(１００及び１０１)に収録制御を行う。  これにより、映像・音声送出機器(１００及び１０１)は、それぞれ入力される映像・音声信号をデジタルデータとして、蓄積を開始する(ステップ２０１)。
ある程度の映像・音声データが、映像・音声送出機器(１００及び１０１)に蓄積されたところで、収録制御機器１０２から映像・音声の差異検出装置１０４に対して、再生する映像・音声の素材コード、再生長などの情報を通知する(ステップ２０２)。
続いて、収録制御機器１０２は、映像・音声送出機器(１００及び１０１)に対し、蓄積した映像・音声の再生制御を行い、これによって映像・音声送出機器(１００及び１０１)は、映像・音声のデジタルデータを、映像・音声の差異検出装置１０４に対して出力する(ステップ２０３)。
【００１０】
収録制御機器１０２は、ステップ２０３と同時に、映像・音声の差異検出装置１０４に対して、ステップ２０２で通知した映像・音声の再生開始を通知する(ステップ２０４)。このステップ２０４の通知を受信した映像・音声の差異検出装置１０４は、映像・音声送出機器１００及び１０１からそれぞれ出力される映像・音声のデジタルデータの比較を開始する(ステップ２０５)。
そして、収録制御機器１０２は、映像・音声再生終了時に、映像・音声の差異検出装置１０４に対し再生終了を通知し(ステップ２０７)、同時に収録制御機器１０２は、映像・音声送出機器(１００及び１０１)の映像・音声再生の停止制御を行う(ステップ２０９)。映像・音声の差異検出装置１０４は、収録制御機器１０２からの再生終了の通知を受信すると、映像・音声送出機器１００及び１０１のそれぞれの映像・音声出力の比較を終了する(ステップ２０８)。
【００１１】
映像・音声の差異検出装置１０４は、ステップ２０４〜２０７の期間、映像・音声送出機器(１００及び１０１)の映像・音声の比較を行い、映像・音声送出機器１００と１０１のそれぞれの映像・音声出力の差異を検出する。また、映像・音声の差異検出装置１０４は、ステップ２０４で収録制御機器１０２からの再生開始通知を受信すると、時刻カウントを開始することで(ステップ２１０)、映像・音声送出機器１００と１０１のそれぞれの映像・音声出力の差異を検出した場合(ステップ２０６)、その時の時刻カウント値から、おおよその差異検出箇所を知ることができる(ステップ２１１)。
【００１２】
最後に、図３を用いて、映像・音声の差異検出装置１０４で行う映像・音声の比較方法の一例について説明する。  ここで、映像・音声送出機器(１００及び１０１)から出力される映像・音声デジタルデータは、１秒間に３０フレームの画像・及び音声で構成され、更に１フレームは、２フィールドの画像と音声データで構成されているものとする。
映像・音声の差異検出装置１０４は、映像・音声送出機器１００および１０１からそれぞれ出力される映像・音声データを一定期間パッファリングし、各フレームのフィールド１の画像及び音声データについて、蓄積されたそれぞれのパッファリングデータ内に同データが存在するか否かを検査する。
そして同一データが存在しない場合は、一方の映像・音声送出機器(１００又は１０１)にのみ存在する映像・音声データであると判断することで、映像・音声送出機器１００と１０１に蓄積されたそれぞれの映像・音声の差異を検出することができる。
【図面の簡単な説明】
【００１３】
【図１】本発明のシステム構成を示すブロック図。
【図２】本発明の映像・音声を比較するための制御方法を示すフローチャート。
【図３】本発明の映像・音声の比較方法を示すフローチャート。
【符号の説明】
【００１４】
１００，１０１：映像・音声送出機器、１０２：収録制御機器、１０４：差異検出装置、１０５：同期信号発生器。
【図１】
2006157743.tif 000003
【図２】
2006157743.tif 000004
【図３】
2006157743.tif 000005